(57)【特許請求の範囲】
【請求項１】
第１筐体に固定される支持部と、
表示パネルを収納する第２筐体に固定される固定部を有し、前記表示パネルの下側に、前記支持部と前記第２筐体の幅方向にずれて配置される取付部と、
前記幅方向を軸方向として配置され、前記支持部に対して前記取付部を回転可能に支持する軸部と、
前記取付部における前記支持部と反対側の端部から前記表示パネルの側面に沿って延出する補強部と、
前記取付部に前記補強部の延出方向に沿って形成され、前記固定部よりも前記第２筐体の背面側に位置し、前記補強部に沿うと共に該取付部の下側へ回り込んだケーブルを前記支持部の上側へ案内する案内部と、
を備えるヒンジユニット。
【請求項２】
前記軸部から該軸部の径方向に延出すると共に、前記取付部を支持する腕部を備え、
前記取付部が、前記腕部から前記支持部と反対側へ張り出し、
前記案内部が、前記腕部と前記補強部との間に位置している、
請求項１に記載のヒンジユニット。
【請求項３】
前記案内部が、前記固定部に対して前記第２筐体の背面側へ凸となる凸形形状を成している、
請求項１又は請求項２に記載のヒンジユニット。
【請求項４】
第１筐体と、
表示パネルを収納する第２筐体と、
第２筐体の幅方向の両側に設けられ、前記第１筐体に前記第２筐体を開閉可能に連結する請求項１〜請求項３の何れか１項に記載のヒンジユニットと、
を備える電子機器。
【請求項５】
前記第２筐体が、前記表示パネルを背面側から覆う後壁部と、該後壁部から突出する突出部とを有し、
前記固定部が、前記突出部に固定されている請求項４に記載の電子機器。
【発明の詳細な説明】
【技術分野】
【０００１】
本願が開示する技術は、ヒンジユニット、及びヒンジユニットを備えた電子機器に関する。
【背景技術】
【０００２】
従来から、キーボード等の入力装置を有する本体ユニットと、液晶ディスプレイ等の表示パネルを有する表示ユニットとを備えたノートブック型パーソナルコンピュータ（以下、「ノートパソコン」という）が知られている。表示ユニットは、一対のヒンジユニットを介して本体ユニットの後端部に開閉可能に支持されている。ヒンジユニットは、本体ユニットの後端部に固定されるヒンジベースと、表示ユニットの下端部に固定されるブラケットとを有している。このブラケットは、ヒンジ軸を介してヒンジベースに回転可能に支持されている。
【０００３】
また、この種のノートパソコンにおいて、表示パネルから本体ユニットへ延びるケーブルをヒンジ軸に沿って配線したものが知られている。このケーブルは、本体ユニットに形成されたヒンジ軸用の開口部から本体ユニット内に挿入されている。
【先行技術文献】
【特許文献】
【０００４】
【特許文献１】実用新案登録第３１０５０３９号公報
【特許文献２】特開２００５−１８２４６４号公報
【発明の概要】
【発明が解決しようとする課題】
【０００５】
ところで、表示ユニットにおける表示パネルの上方または側方には、例えば、カメラや無線通信用のアンテナ等が搭載される場合がある。これらのカメラやアンテナ等に接続されたケーブル（以下、「カメラ用ケーブル等」という）を表示パネルの背面側に通して本体ユニットへ配線すると、表示ユニットの厚みが増加してしまう。そこで、表示パネルの側面側にカメラ用ケーブル等を配線することが考えられる。
【０００６】
一方、表示ユニットにおける表示パネルの側面側には、開閉動作に伴う表示ユニットの湾曲変形等を抑制する補強フレームが配置される。この補強フレームは、例えば、表示パネルの側面に沿って配置されると共に、その下端部が表示パネルの下面側に配置されたヒンジユニットのブラケットに達する場合がある。この場合、カメラ用ケーブル等は補強フレーム及びブラケットの外側に配線されることになる。即ち、カメラ用ケーブル等は、補強フレーム及びブラケットを挟んでヒンジ軸と反対側に配線されることになる。
【０００７】
ヒンジ軸側にカメラ用ケーブル等を配線するためには、例えば、補強フレーム又はブラケットに対してカメラ用ケーブル等を交差させることが考えられる。しかしながら、補強フレーム又はブラケットに対してカメラ用ケーブル等を交差させると、表示ユニットの厚みが増加する可能性がある。また、表示ユニットの厚みを薄くするために、補強フレームにカメラ用ケーブルを通すための孔や溝を形成すると、補強フレームの剛性が低下する結果、開閉動作に対する表示ユニットの剛性が低下する虞がある。
【０００８】
本願が開示する技術は、表示パネルを収納する筐体の剛性の低下を抑制しつつ、当該筐体の薄型化を図ることを目的とする。
【課題を解決するための手段】
【０００９】
本願が開示するヒンジユニットは、第１筐体に固定される支持部と、表示パネルを収納する第２筐体に固定される固定部を有し、表示パネルの下側に支持部と第２筐体の幅方向にずれて配置される取付部と、を備えている。この取付部は、第２筐体の幅方向を軸方向として配置された軸部によって、支持部に対して回転可能に支持される。また、取付部における支持部と反対側の端部には、当該端部から表示パネルの側面に沿って補強部が延出している。更に、取付部には、補強部の延出方向に沿って案内部が形成されている。この案内部は、固定部よりも第２筐体の背面側に位置し、補強部に沿うと共に取付部の下側へ回り込んだケーブルを支持部の上側へ案内する。
【発明の効果】
【００１０】
本願が開示するヒンジユニットによれば、案内部によってケーブルを案内することにより、表示パネルを収納する第２筐体の剛性の低下を抑制しつつ、当該第２筐体の薄型化を図ることができる。
【図面の簡単な説明】
【００１１】
【図１】電子機器の一実施例であるノートパソコンを示す斜視図である。
【図２】図１に示される表示ユニットを右側から見た側面図である。
【図３】図１に示される表示ユニットからフロントカバーを外した状態を示す正面図である。
【図４】図１に示される表示ユニットの分解斜視図である。
【図５】図１に示される本体ユニットと表示ユニットとの連結部を示す斜視図である。
【図６】図１に示すノートパソコンに設けられたヒンジユニットを示す斜視図である。
【図７】図１の７−７線断面図である。
【図８】（Ａ）は、図６に示されるヒンジユニットを矢印Ｋ方向から見た模式図であり、（Ｂ）は、比較例を示す図８（Ａ）に相当する模式図である。
【図９】ヒンジユニットの一変形例を示す図７に相当する断面図である。
【図１０】ヒンジユニットの一変形例を示す図５に相当する斜視図である。
【図１１】ヒンジユニットの一変形例を示す図７に相当する断面図である。
【発明を実施するための形態】
【００１２】
以下、図面を参照しながら、本願が開示するヒンジユニット、及びヒンジユニットを備えた電子機器の実施例について説明する。
【００１３】
図１に示されるように、本実施例に係る電子機器の一例としてのノートパソコン１０は、本体ユニット２０と表示ユニット４０とを備えている。表示ユニット４０は、本体ユニット２０の後端部に、後述するヒンジユニット６０を介して矢印Ｒ方向に回転（開閉）可能に支持されている。これにより、表示ユニット４０は、本体ユニット２０の上に重ねられる閉じ位置と、本体ユニット２０に対して立てられた開き位置との間を変位可能になっている。
【００１４】
なお、図１には、表示ユニット４０が開き位置に位置した状態が示されている。また、以下では、表示ユニット４０が開き位置に位置した状態において、図１に示される矢印Ｘ方向を表示ユニット４０の幅方向の外側（以下、単に「外側」と略す場合がある）として説明する。これと同様に、表示ユニット４０が開き位置に位置した状態において、矢印Ｙ方向を表示ユニット４０の上下方向の上側（以下、単に「上側」と略す場合がある）として説明する。更に、表示ユニット４０が開き位置に位置した状態において、矢印Ｚ方向を表示ユニット４０の前後方向の後側（以下、単に「後側」又は「背面側」と略す場合がある）として説明する。また、矢印Ｚ方向は、本体ユニット２０の前後方向の後側も示している。
【００１５】
本体ユニット２０は、第１筐体２２を有している。第１筐体２２は箱型形状に形成されており、その内部に図示しないＣＰＵ（Ｃｅｎｔｒａｌ  Ｐｒｏｃｅｓｓｉｎｇ  Ｕｎｉｔ）等の電子部品が搭載された情報処理部の一例としての電子回路基板（メインボード）が収納されている。また、第１筐体２２の側面側（右側面側）には、図示しない電源プラグ等が接続される電源コネクタ２４や、ＤＶＤ（Ｄｉｇｉｔａｌ  Ｖｅｒｓａｔｉｌｅ  Ｄｉｓｋ）等の記録媒体を読み取るＤＶＤドライブユニット２６が設けられている。更に、第１筐体２２の上面側には、キーボード２８等の入力装置や、タッチパッド３０、スクロールパッド３２等のポインティングデバイスが設けられている。また、第１筐体２２の後端部には、後述するヒンジユニット６０のヒンジ軸６８（図３参照）を収納するヒンジ収納部３４が設けられている。
【００１６】
表示ユニット４０は、表示パネル４２と、表示パネル４２を収納する第２筐体４４を有している。第２筐体４４は、表示パネル４２の外周部を前側（前面側）から覆う枠状のフロントカバー４６と、表示パネル４２を後側（背面側）から覆うバックカバー４８とを有している。表示パネル４２の前面は、画像や映像等を表示する表示面４２Ａとされており、フロントカバー４６の内側から露出している。
【００１７】
バックカバー４８の側部における下端部には、後述するヒンジユニット６０のブラケット６２及びヒンジアーム６６（図３参照）を後側から覆うヒンジ収納部５０がそれぞれ設けられている。また、フロントカバー４６の側部における下端部には、後述するヒンジユニット６０のブラケット６２及びヒンジアーム６６を前側から覆うヒンジカバー部４６Ａがそれぞれ設けられている。このヒンジカバー部４６Ａは、図２に示されるように、ヒンジアーム６６の形状に応じ、表示パネル４２の表示面４２Ａに対して前側へ突出している。
【００１８】
図３に示されるように、バックカバー４８は、表示パネル４２の背面を覆う後壁部４８Ａと、後壁部４８Ａの外周部からフロントカバー４６側へ立ち上げられた側壁部４８Ｂと、を有している。このバックカバー４８の側部における側壁部４８Ｂと表示パネル４２の側面４２Ｂとの間には、後述するヒンジユニット６０の補強フレーム６４がそれぞれ配置されている。また、バックカバー４８の上部における中央部には、カメラ装置５２が設けられている。カメラ装置５２は、表示パネル４２の上面４２Ｃに沿って配置され、バックカバー４８に固定されている。
【００１９】
カメラ装置５２のレンズ５２Ａは、フロントカバー４６に形成された孔５４（図１参照）から露出しており、表示ユニット４０の前にいる操作者等を撮影可能になっている。このカメラ装置５２は、ケーブルの一例としてのカメラ用ケーブル５６によって本体ユニット２０に収納された図示しない電子回路基板に電気的に接続されている。
【００２０】
カメラ用ケーブル５６は、カメラ装置５２から表示パネル４２の外周に沿って左回りに配線され、バックカバー４８の側壁部４８Ｂと補強フレーム６４との間、及びヒンジ収納部５０を経由して、本体ユニット２０（図１参照）へ配線されている。本体ユニット２０へ配線されたカメラ用ケーブル５６は、本体ユニット２０に収納された電子回路基板に電気的に接続されている。
【００２１】
また、バックカバー４８の上部におけるカメラ装置５２の外側（矢印Ｘ側）には、無線通信用のアンテナ装置５８が設けられている。アンテナ装置５８は、表示パネル４２の上面４２Ｃに沿って配置され、バックカバー４８に固定されている。このアンテナ装置５８は、ケーブルの一例としての２本のアンテナ用ケーブル５９によって本体ユニット２０に収納された図示しない電子回路基板に電気的に接続されている。なお、２本のアンテナ用ケーブル５９は表示ユニット４０の前後方向に重なるため、図３では１本のアンテナ用ケーブル５９のみが図示されている。
【００２２】
アンテナ用ケーブル５９には、アンテナ装置５８から表示パネル４２の外周に沿って右回りに配線され、バックカバー４８の側壁部４８Ｂと補強フレーム６４との間、及びヒンジ収納部５０を経由して、本体ユニット２０（図１参照）へ配線されている。本体ユニット２０へ配線されたアンテナ用ケーブル５９は、本体ユニット２０に収納された電子回路基板に電気的に接続されている。
【００２３】
なお、バックカバー４８には、カメラ用ケーブル５６又はアンテナ用ケーブル５９をガイドするケーブルガイド３６が適宜設けられている。また、カメラ装置５２及びアンテナ装置５８は、ケーブルの一例としてのカメラ用ケーブル５６又はアンテナ用ケーブル５９を介して本体ユニット２０の電子回路基板に電気的に接続される内蔵部品の一例である。
【００２４】
ここで、本実施例に係るヒンジユニットについて説明する。
【００２５】
図３に示されるように、第２筐体４４の幅方向の両側には、一対のヒンジユニット６０が収納される。各ヒンジユニット６０は、ブラケット６２と、補強フレーム６４と、ヒンジアーム６６と、ヒンジ軸６８と、ヒンジベース７０と、を有している。これらのヒンジユニット６０は、表示ユニット４０の幅方向をヒンジ軸６８の軸方向にして配置されると共に、表示ユニット４０の幅方向の中央部に対してほぼ線対称に配置されている。
【００２６】
図４に示されるように、取付部の一例としてのブラケット６２は、金属板（板金）で形成されており、板厚方向を表示ユニット４０の前後方向にすると共に、長手方向を表示ユニット４０の上下方向にして配置されている。ブラケット６２は、バックカバー４８の後壁部４８Ａに固定される固定部６２Ａを有し、表示パネル４２の下側に配置される。
【００２７】
固定部６２Ａには、表示ユニット４０の上下方向に並ぶと共に、固定部６２Ａを板厚方向に貫通する２つの取付孔７２Ａ，７２Ｂが形成されている。これらの取付孔７２Ａ，７２Ｂに挿入されたビス７４Ａ，７４Ｂをバックカバー４８の後壁部４８Ａから突出する２つのボス部７６Ａ，７６Ｂにそれぞれ捻じ込むことにより、固定部６２Ａがバックカバー４８に固定されるようになっている。これらのボス部７６Ａ，７６Ｂは、突出部の一例である。
【００２８】
なお、フロントカバー４６のヒンジカバー部４６Ａには、取付孔７８が形成されている。この取付孔７８にビス７４Ｂを挿入することにより、ヒンジカバー部４６Ａとブラケット６２の固定部６２Ａがボス部７６Ｂに共締めされるようになっている。また、ヒンジカバー部４６Ａには、ビス７４Ｂを覆うキャップ９４が取り付けられる。表示パネル４２は、このようにビス７４Ｂにより固定されるフロントカバー４６およびバックカバー４８に挟持され、フロントカバー４６およびバックカバー４８の協働により生じる空間内に収納される。なお、表示パネル４２とバックカバー４８の間に、表示パネル４２に対する衝撃を吸収する部材が設けられてもよい。
【００２９】
ブラケット６２におけるヒンジベース７０と反対側の端部には、補強部の一例としての補強フレーム６４が一体的に設けられている。補強フレーム６４は長細い金属板で形成されており、ブラケット６２の外側の端部から表示パネル４２の側面４２Ｂに沿って表示パネル４２の上端部へ延出している。
【００３０】
更に、補強フレーム６４の上端部には、表示パネル４２の上面４２Ｃに沿って屈曲された固定部６４Ａが設けられている。固定部６４Ａには、当該固定部６４Ａを板厚方向に貫通する取付孔８６が形成されている。この取付孔８６に挿入されたビス８８をバックカバー４８の後壁部４８Ａから突出するボス部９０に捻じ込むことにより、補強フレーム６４がバックカバー４８に固定されるようになっている。この補強フレーム６４を介して表示パネル４２がバックカバー４８に固定されると共に、表示ユニット４０（図１参照）の開閉動作に伴う第２筐体４４の湾曲変形等が抑制されるようになっている。即ち、補強フレーム６４は、第２筐体４４を補強する補強部材として機能する。
【００３１】
一方、ブラケット６２におけるヒンジベース７０側の端部には、腕部の一例としてのヒンジアーム６６が設けられている。ヒンジアーム６６は、ブラケット６２の端部からフロントカバー４６側に立ち上がると共に、その下端部６６Ａがブラケット６２から下側（補強フレーム６４と反対側）へ突出している。
【００３２】
ヒンジアーム６６の下端部６６Ａには、軸部の一例としてのヒンジ軸６８の一端部が一体的に設けられている。このヒンジ軸６８は、表示ユニット４０の幅方向を軸方向として配置されている。つまり、ヒンジアーム６６は、ヒンジ軸６８の一端部から径方向に延出し、ブラケット６２におけるヒンジベース７０側の端部を支持している。また、ブラケット６２は、ヒンジアーム６６におけるバックカバー４８の後壁部４８Ａ側の端部からヒンジベース７０と反対側へ張り出している。
【００３３】
図５に示されるように、ヒンジ軸６８は、ヒンジアーム６６から表示ユニット４０の幅方向の中央部に向けて延出し、ヒンジ収納部５０に形成された開口５０Ａから第１筐体２２のヒンジ収納部３４に形成された開口３４Ａに挿入されている。つまり、ヒンジ軸６８は本体ユニット２０及び表示ユニット４０の幅方向に沿って配置され、このヒンジ軸６８を回転軸として表示ユニット４０が本体ユニット２０に対して回転（開閉）可能になっている。
【００３４】
なお、バックカバー４８の後壁部４８Ａにおけるブラケット６２の下側には、アンテナ用ケーブル５９を案内するケーブルガイド３７が形成されている。ケーブルガイド３７は、表示ユニット４０の幅方向に延びている。このケーブルガイド３７によって、アンテナ用ケーブル５９がブラケット６２の下端６２Ｔ２（図６参照）に沿って配線されるようになっている。
【００３５】
図６に示されるように、ヒンジ軸６８は、ヒンジアーム６６よりも表示ユニット４０（図１参照）の幅方向の中央部側に配置されたヒンジベース７０に回転可能に支持されている。支持部の一例としてのヒンジベース７０は、ベースプレート７０Ａと軸受け部７０Ｂとを有している。ベースプレート７０Ａには、当該ベースプレート７０Ａを第１筐体２２（図１参照）の後端部に固定するための図示しないビスが挿入される複数の取付孔９２が形成されている。
【００３６】
ベースプレート７０Ａの上端部には、軸受け部７０Ｂが設けられており、この軸受け部７０Ｂにヒンジ軸６８の他端部が回転可能に支持されている。これにより、ヒンジベース７０に対してブラケット６２が相対回転可能になっている。
【００３７】
ここで、ブラケット６２におけるヒンジアーム６６と固定部６２Ａとの間の部位には、案内部６２Ｂが形成されている。この案内部６２Ｂは、補強フレーム６４の延出方向（矢印Ｙ方向）に沿ってブラケット６２を折り曲げ加工することにより、固定部６２Ａに対して背面側（矢印Ｚ側）へ凸となる凸形形状に形成されている。この案内部６２Ｂによって、ブラケット６２に当該ブラケット６２の下端６２Ｔ２から上端６２Ｔ１へ渡る溝状の通路６３が形成されている。
【００３８】
より具体的には、図７に示されるように、案内部６２Ｂは、本体ユニット２０の幅方向に沿った断面形状が、前側（フロントカバー４６側）を開口した断面Ｃ字形状に形成されており、底壁６２Ｂ１と２つの側壁６２Ｂ２，６２Ｂ３とを有している。この案内部６２Ｂ内にアンテナ用ケーブル５９等が通る溝状の通路６３が形成されている。
【００３９】
また、案内部６２Ｂは、固定部６２Ａよりも背面側（バックカバー４８の後壁部４８Ａ側）に位置している。これにより、ブラケット６２の固定部６２Ａをバックカバー４８の後壁部４８Ａから突出するボス部７６Ａ等に固定したときに、ボス部７６Ａ等よりもヒンジアーム６６（図６参照）側に案内部６２Ｂが配置されるようになっている。つまり、案内部６２Ｂは、表示ユニット４０の幅方向にボス部７６Ａ等と隣接するようにバックカバー４８のヒンジ収納部５０に収納される。
【００４０】
なお、案内部６２Ｂの内側の側壁６２Ｂ３は、ブラケット６２の内側の端部を構成しており、この側壁６３Ｂから前述したヒンジアーム６６（図６参照）がフロントカバー４６側に立ち上げられている。つまり、ブラケット６２は、ヒンジアーム６６におけるバックカバー４８の後壁部４８Ａ側の端部から外側へ張り出している。また、図７は図１の７−７線断面図であるが、この図７に示される断面位置は、図２のＧ−Ｇ線に相当する。
【００４１】
次に、アンテナ用ケーブル５９の配線方法を説明すると共に、本実施例の作用について説明する。なお、カメラ用ケーブル５６の配線方法は、アンテナ用ケーブル５９と同様であるため、説明を省略する。
【００４２】
図５に示されるように、アンテナ用ケーブル５９は、ヒンジユニット６０の補強フレーム６４の外側を通ってヒンジ収納部５０へ配線される。ヒンジ収納部５０へ配線されたアンテナ用ケーブル５９は、ケーブルガイド３６に案内されながらヒンジユニット６０のブラケット６２の外側（矢印Ｘ側）を通って当該ブラケット６２の下側へ回り込む。ブラケット６２の下側へ回り込んだアンテナ用ケーブル５９は、ケーブルガイド３７に案内されながら、ブラケット６２に形成された通路６３を通って表示パネル４２の下面４２Ｄ側へ配線される。即ち、ブラケット６２の下側へ回り込んだアンテナ用ケーブル５９が、案内部６２Ｂによってヒンジベース７０（図６参照）の上側へ案内される。表示パネル４２側へ配線されたアンテナ用ケーブル５９は、表示パネル４２とヒンジアーム６６との間を通過してヒンジアーム６６のヒンジベース７０側へ回り込み、ヒンジアーム６６に沿ってヒンジ軸６８側へ配線される。ヒンジ軸６８側へ配線されたアンテナ用ケーブル５９は、ヒンジ軸６８に沿って配線され、ヒンジ収納部５０の開口５０Ａから第１筐体２２のヒンジ収納部３４の開口３４Ａへ挿入される。
【００４３】
ここで、補強フレーム６４の外側からヒンジ軸６８側へアンテナ用ケーブル５９を配線する配線方法としては、例えば、補強フレーム６４又はブラケット６２に対してアンテナ用ケーブル５９を表示ユニット４０の幅方向に交差させることが考えられる。この場合、補強フレーム６４とフロントカバー４６との間、又はブラケット６２の固定部６２Ａとフロントカバー４６との間にアンテナ用ケーブル５９を配線するためのスペースが必要なるため、表示ユニット４０の厚みが増加する可能性がある。
【００４４】
また、例えば、補強フレーム６４に対して表示ユニット４０の幅方向にアンテナ用ケーブル５９を通す溝や孔等を形成することが考えられる。この場合、本体ユニット２０（図１参照）に対して表示ユニット４０を開閉したときに、溝や孔が形成された部位で補強フレーム６４が折れる可能性がある。即ち、補強フレーム６４に対して表示ユニット４０の幅方向にアンテナ用ケーブル５９を通すための溝や孔等を形成すると、表示ユニット４０の前後方向の曲げに対する補強フレーム６４の剛性が低下する可能性がる。従って、表示ユニット４０の開閉動作に伴う第２筐体４４の湾曲変形等が大きくなる虞がある。
【００４５】
これと同様に、ブラケット６２に対して表示ユニット４０の幅方向にアンテナ用ケーブル５９を通すための溝や孔等を形成すると、表示ユニット４０の前後方向の曲げに対する補強フレーム６４の剛性が低下する可能性がある。更に、ブラケット６２に対して表示ユニット４０の幅方向にアンテナ用ケーブル５９を通すための溝や孔等を形成した場合は、バックカバー４８に設けられたボス部７６Ａ等に対するブラケット６２の固定強度が低下する可能性がある。
【００４６】
これに対して本実施例では、図７に示されるように、案内部６２Ｂが、ブラケット６２の固定部６２Ａに対して背面側に凸となる凸形形状を成している。また、案内部６２Ｂは、補強フレーム６４の延出方向に延びている。即ち、案内部６２Ｂは、ヒンジ軸６８の軸線Ｊと交差（本実施形態では、直交）する方向に延びている。これにより、案内部６２Ｂを備えない平板状のブラケットと比較して、表示ユニット４０の前後方向（回転方向）の曲げに対するブラケット６２の剛性が高くなる。更に、バックカバー４８に設けられたボス部７６Ａ等に対するブラケット６２の固定強度が高くなる。従って、表示ユニット４０の開閉動作に伴う第２筐体４４の湾曲変形等が抑制される。
【００４７】
また、案内部６２Ｂは、ブラケット６２の固定部６２Ａよりも背面側（バックカバー４８の後壁部４８Ａ側）に位置している。そのため、ブラケット６２の固定部６２Ａをバックカバー４８の後壁部４８Ａから突出するボス部７６Ａ等に固定したときに、案内部６２Ｂが、ボス部７６Ａ等と表示ユニット４０の幅方向に隣接して配置される。これにより、表示ユニット４０の幅方向にボス部７６Ａ等と隣接するようにアンテナ用ケーブル５９を配線することができる。従って、ブラケット６２の固定部６２Ａとフロントカバー４６との間に、アンテナ用ケーブル５９を配線するためのスペースが不要になるため、第２筐体４４の薄型化を図ることができる。
【００４８】
更に、図８（Ａ）に示されるように、本実施例に係るヒンジユニット６０では、ブラケット６２における固定部６２Ａとヒンジアーム６６との間に部位に案内部６２Ｂが形成されている。そのため、ブラケット６２の固定部６２Ａからヒンジ軸６８の軸線Ｊまでの高さがＨ１となる。一方、図８（Ｂ）には、比較例として、案内部６２Ｂを備えないヒンジユニット１００が示されている。このヒンジユニット１００は、ブラケット６２の固定部６２Ａからヒンジ軸６８の軸線Ｊまでの高さがＨ２となる。つまり、本実施例に係るヒンジユニット６０の高さＨ１は、比較例に係るヒンジユニット１００の高さＨ２よりも低くなる（Ｈ２＞Ｈ１）。従って、第２筐体４４の薄型化を更に図ることができる。
【００４９】
次に、上記実施例に係るヒンジユニットの変形例について説明する。
【００５０】
上記実施例では、案内部６２Ｂが固定部６２Ａに対して背面側へ凸となる凸形形状を成しているが、案内部６２Ｂの形状はこれに限らない。例えば、案内部６２Ｂを段状に形成しても良い。
【００５１】
具体的には、図９に示されるように、案内部６２Ｂは、本体ユニット２０の幅方向に沿った断面形状がＬ字形状に形成されており、底壁６２Ｂ１と側壁６２Ｂ２とを有している。底壁６２Ｂ１は、ブラケット６２の固定部６２Ａよりも背面側（バックカバー４８の後壁部４８Ａ側）へ位置している。この案内部６２Ｂによって、ブラケット６２の固定部６２Ａよりもバックカバー４８の後壁部４８Ａ側に、アンテナ用ケーブル５９等が通る通路９６が形成されている。従って、ブラケット６２の固定部６２Ａとフロントカバー４６との間に、アンテナ用ケーブル５９を配線するためのスペースが不要になるため、第２筐体４４の薄型化を図ることができる。
【００５２】
また、案内部６２Ｂを段形形状にしても、案内部６２Ｂを備えない平板状のブラケットと比較して、表示ユニット４０の前後方向の曲げに対するブラケット６２の剛性が高くなる。更に、バックカバー４８に設けられたボス部７６Ａ，７６Ｂに対するブラケット６２の固定強度が高くなる。従って、表示ユニット４０の開閉動作に伴う第２筐体４４の湾曲変形等が抑制される。
【００５３】
また、上記実施例では、ブラケット６２におけるヒンジアーム６６と固定部６２Ａとの間の部位に案内部６２Ｂが形成されているが、ブラケット６２に対する案内部６２Ｂの位置はこれに限らない。例えば、図１０及び図１１に示されるように、ブラケット６２における固定部６２Ａと補強フレーム６４との間の部位に、案内部６２Ｂ（通路９８）を形成しても良い。
【００５４】
また、上記実施例では、ブラケット６２と補強フレーム６４とを一体に形成したが、ブラケット６２と補強フレーム６４とは別体にしても良い。ブラケット６２と補強フレーム６４とを別体にした場合は、例えば、バックカバー４８に設けられたボス部７６Ａ，７６Ｂにビス７４Ａ，７４Ｂで補強フレーム６４の下端部を固定することが考えられる。また、ブラケット６２にビス等で補強フレーム６４の下端部を固定することも可能である。
【００５５】
更に、上記実施例では、電子機器の一例として、ノートパソコン１０を例に説明したが、上記実施例は、例えば、携帯電話、携帯用のＤＶＤプレーヤー、電子辞書等の電子機器にも適用可能である。
【００５６】
以上、本願が開示する技術の一実施例について説明したが、本願が開示する技術は上記の実施例に限定されるものでない。また、上記実施例及び各種の変形例を適宜組み合わせて用いても良いし、本願が開示する技術の要旨を逸脱しない範囲において、種々なる態様で実施し得ることは勿論である。
【符号の説明】
【００５７】
１０    ノートパソコン（電子機器の一例）
２２    第１筐体
４２    表示パネル
４４    第２筐体
４８Ａ  後壁部
５６    カメラ用ケーブル（ケーブルの一例）
５９    アンテナ用ケーブル（ケーブルの一例）
６０    ヒンジユニット
６２    ブラケット（取付部の一例）
６２Ａ  固定部
６２Ｂ  案内部
６３    通路
６４    補強フレーム（補強部の一例）
６６    ヒンジアーム（腕部の一例）
６６Ａ  壁部
６８    ヒンジ軸（軸部の一例）
７０    ヒンジベース（支持部の一例）
７６Ａ  ボス部（突出部の一例）
７６Ｂ  ボス部（突出部の一例）
９６    通路
９８    通路
【図１】
0005733143.tif 000002
【図２】
0005733143.tif 000003
【図３】
0005733143.tif 000004
【図４】
0005733143.tif 000005
【図５】
0005733143.tif 000006
【図６】
0005733143.tif 000007
【図７】
0005733143.tif 000008
【図８】
0005733143.tif 000009
【図９】
0005733143.tif 000010
【図１０】
0005733143.tif 000011
【図１１】
0005733143.tif 000012